(57)【要約】【課題】  屋内への搬入、組立てが容易な配電盤を提供する。【解決手段】  筐体を縦横に分割して複数のユニットとし、前記複数のユニットを上下左右に組み合わせて筐体とした配電盤であって、前記複数のユニットは、少なくとも第１ユニットと第２ユニットで構成し、前記第１ユニットは、上面に凹部から成るレール構造を備え、かつ、左右の一方の側面には位置決め凹部を、他方の側面には位置決め凸部を備え、前記第２ユニットは、下面に凸部から成るレール構造を備え、かつ、左右の一方の側面には位置決め凹部を、他方の側面には位置決め凸部を備え、前記第１ユニットと第２ユニットを、前記凹部から成るレール構造に前記凸部から成るレール構造を差し込んでスライド可能に上下に組み合わせ、前記第１ユニットの位置決め凹部または位置決め凸部と、前記第２ユニットの位置決め凸部または位置決め凹部とを嵌め込んで、左右に組み合わせて筐体を構成したものである。【選択図】  図４
2019213343.tif 000002
【特許請求の範囲】
【請求項１】
筐体を縦横に分割して複数のユニットとし、前記複数のユニットを上下左右に組み合わせて筐体とした配電盤であって、
前記複数のユニットは、少なくとも第１ユニットと第２ユニットで構成し、
前記第１ユニットは、上面に凹部から成るレール構造を備え、かつ、左右の一方の側面には位置決め凹部を、他方の側面には位置決め凸部を備え、
前記第２ユニットは、下面に凸部から成るレール構造を備え、かつ、左右の一方の側面には位置決め凹部を、他方の側面には位置決め凸部を備え、
前記第１ユニットと第２ユニットを、前記凹部から成るレール構造に前記凸部から成るレール構造を差し込んでスライド可能に上下に組み合わせ、
前記第１ユニットの位置決め凹部または位置決め凸部と、前記第２ユニットの位置決め凸部または位置決め凹部とを嵌め込んで、左右に組み合わせて筐体を構成した配電盤。
【請求項２】
請求項１に記載の配電盤において、
前記第１ユニットおよび前記第２ユニットは、略直方体形状であることを特徴とする配電盤。
【請求項３】
請求項１に記載の配電盤において、
前記第１ユニットと前記第２ユニットは、異なる高さ寸法を有することを特徴とする配電盤。
【請求項４】
請求項１に記載の配電盤において、
前記第１ユニットの上面のレール構造と、前記第２ユニットの下面のレール構造は、筐体の奥行き方向に延びるものであることを特徴とする配電盤。
【請求項５】
請求項１に記載の配電盤において、
前記第１ユニットの前記位置決め凹部および前記第２ユニットの位置決め凹部は、両端が閉じた直線状の凹部であることを特徴とする配電盤。
【請求項６】
請求項１に記載の配電盤において、
前記第１ユニットの前記位置決め凹部および前記位置決め凸部、並びに、前記第２ユニットの前記位置決め凹部および前記位置決め凸部は、ユニットの高さ方向に延びるものであることを特徴とする配電盤。
【請求項７】
請求項６に記載の配電盤において、
前記第１ユニットの前記位置決め凹部および前記位置決め凸部、並びに、前記第２ユニットの前記位置決め凹部および前記位置決め凸部は、前記第１ユニットまたは前記第２ユニットの側面の前部および後部に設けられていることを特徴とする配電盤。
【請求項８】
請求項１に記載の配電盤において、
前記第１ユニットの前記位置決め凹部および前記位置決め凸部、並びに、前記第１ユニットの前記位置決め凹部および前記位置決め凸部は、ユニットの奥行き方向に延びるものであることを特徴とする配電盤。
【請求項９】
請求項８に記載の配電盤において、
前記第１ユニットの前記位置決め凹部および前記位置決め凸部、並びに、前記第２ユニットの前記位置決め凹部および前記位置決め凸部は、前記第１ユニットまたは前記第２ユニットの側面の上部および下部に設けられていることを特徴とする配電盤。
【請求項１０】
請求項１に記載の配電盤において、
筐体を上下に２分割して複数のユニットとしたことを特徴とする配電盤。
【請求項１１】
請求項１に記載の配電盤において、
筐体を左右に２つ以上に分割して複数のユニットとしたことを特徴とする配電盤。
【請求項１２】
複数の分割したユニットを上下および左右に組み合わせた筐体を備える配電盤であって、
前記複数の分割したユニットは、少なくとも、上面に奥行き方向に直線状の凹部を備える第１ユニットと、下面に直線状の凸部を備える第２ユニットを備え、
前記第１ユニットおよび前記第２ユニットは、それぞれ、左右の一方の側面には位置決め凹部を、他方の側面には位置決め凸部を備え、
前記第１ユニットと前記第２ユニットを、前記直線状の凹部に前記直線状の凸部を差し込んでスライド可能に上下に組み合わせ、
前記第１ユニットの位置決め凹部または位置決め凸部と、前記第２ユニットの位置決め凸部または位置決め凹部とを嵌め込んで、左右に組み合わせて筐体を構成した配電盤。
【請求項１３】
請求項１２に記載の配電盤において、
前記第１ユニットと前記第２ユニットは、異なる高さ寸法を有することを特徴とする配電盤。
【発明の詳細な説明】
【技術分野】
【０００１】
本発明は、屋内への搬入を容易に行うことができる配電盤に関する。
【背景技術】
【０００２】
配電盤は、その内部に遮断器や変圧器などの各種の電気機器を収納し、母線から遮断器等を介して負荷に電力を供給している。このような配電盤は、工場で組み立てた後に、試験を行い、設置場所へ出荷される。
【０００３】
特許文献１には、「分割組立型配電盤」が開示されており、「分割組立型配電盤では、３つのブロック部、すなわちオプションブロック部、コア部品ブロック部、周辺部品ブロック部が垂直方向に積み上げられている。オプションブロック部は、初期状態では電気部品を実装しないブロック部であって、空（から）の筐体フレームのみからなる。コア部品ブロック部は、分割組立型配電盤の基本機能を実現するコア部品が実装される。周辺部品ブロック部は、前記コア部品以外である周辺部品が実装される。周辺部品ブロック部とオプションブロック部は、納入先あるいは据付先付近の製造工場などで組立可能である。」（要約参照）と記載されている。
【先行技術文献】
【特許文献】
【０００４】
【特許文献１】特開２０１５−１２６９２号公報
【発明の概要】
【発明が解決しようとする課題】
【０００５】
従来の配電盤（キュービクル）を屋内へ搬入する場合、屋内の搬入口に因るが、一般に搬入口は縦幅は大きいが、横幅は小さい。そのため、搬入口に制限がある場合は、搬入口を壊したり窓から搬入したりしなければならない。また、高層ビルなど搬入先が高い場所の場合は、クレーン等で吊り上げて窓枠を外して搬入するなど、相当な工数が必要とされる。
【０００６】
特許文献１記載の配電盤は縦方向の分割は可能であるが、横幅を考慮して屋内へ搬入する必要がある。そのため、壁、ドアの撤去や、窓など屋外からの搬入が必要となる場合がある。
【０００７】
本発明は、屋内への搬入、組立てが容易な配電盤を提供することを目的とする。
【課題を解決するための手段】
【０００８】
上記目的を達成するための、本発明の「配電盤」の一例を挙げるならば、
筐体を縦横に分割して複数のユニットとし、前記複数のユニットを上下左右に組み合わせて筐体とした配電盤であって、前記複数のユニットは、少なくとも第１ユニットと第２ユニットで構成し、前記第１ユニットは、上面に凹部から成るレール構造を備え、かつ、左右の一方の側面には位置決め凹部を、他方の側面には位置決め凸部を備え、前記第２ユニットは、下面に凸部から成るレール構造を備え、かつ、左右の一方の側面には位置決め凹部を、他方の側面には位置決め凸部を備え、前記第１ユニットと第２ユニットを、前記凹部から成るレール構造に前記凸部から成るレール構造を差し込んでスライド可能に上下に組み合わせ、前記第１ユニットの位置決め凹部または位置決め凸部と、前記第２ユニットの位置決め凸部または位置決め凹部とを嵌め込んで、左右に組み合わせて筐体を構成したものである。
【発明の効果】
【０００９】
本発明によれば、配電盤を縦横に分割可能とし、分割したユニットに嵌まり合う凹凸構造を設けることで、搬入、組立て作業を容易に行うことができる。
【図面の簡単な説明】
【００１０】
【図１】配電盤の一例を示す外形図で、（ａ）は正面図、（ｂ）は右側面図、（ｃ）は背面図である。
【図２】実施例１の配電盤の組立斜視図である。
【図３Ａ】第１ユニットの斜視図である。
【図３Ｂ】第２ユニットの斜視図である。
【図３Ｃ】第１ユニットと第２ユニットを上下に組み合わせた斜視図である。
【図３Ｄ】第１ユニットと第２ユニットを左右に組み合わせた斜視図である。
【図３Ｅ】第１ユニットと第２ユニットを上下および左右に組み合わせた正面図である。
【図３Ｆ】第１ユニットと第２ユニットを上下および左右に組み合わせた斜視図である。
【図４】実施例１の配電盤の分解斜視図である。
【図５】実施例１の配電盤の正面断面図である。
【図６Ａ】実施例２の第１ユニットの斜視図である。
【図６Ｂ】実施例２の第２ユニットの斜視図である。
【図７】実施例２の配電盤の正面断面図である。
【発明を実施するための形態】
【００１１】
以下、本発明の実施の形態を、図面を用いて説明する。なお、実施の形態を説明するための各図において、同一の構成要素には同一の名称、符号を付して、その繰り返しの説明を省略する。
【実施例１】
【００１２】
図１に、配電盤の構成の一例を示す。図１（ａ）は配電盤の正面図、（ｂ）は右側面図、（ｃ）は背面図である。図１の配電盤１００は、受電盤１００ａ、低圧盤１００ｂ、変圧器盤１００ｃで構成され、横方向に連結されている。受電盤１００ａは高圧側の機器を、低圧盤１００ｂは低圧側の機器を、変圧器盤１００ｃは低圧に変換する変圧器を備えている。なお、図１の配電盤１００は、３つの盤で構成されているが、盤の数はこれに限られるものではなく、例えば盤を纏めて１つまたは２つの盤で構成されることもある。
【００１３】
従来の配電盤を屋内へ搬入する場合、配電盤の幅に比べて搬入口の幅に制限があると搬入することができない。この場合は、搬入口を壊して、または外からクレーン等を用いて窓から搬入しなければならず、工数が掛かる。
【００１４】
本実施例では、配電盤の筐体を縦横に分割してユニットとし、ユニットに互いに組み合わさる凹凸等をから成る簡易組立て構造を備えることで、配電盤の搬入、組み立てを容易にする構造を提案する。
【００１５】
図２に、実施例１の配電盤の組立斜視図を示す。また、図３Ａに第１ユニット（下段ユニット）の斜視図を、図３Ｂに第２ユニット（上段ユニット）の斜視図を示す。
【００１６】
図２に示すように、本実施例では、配電盤の筐体１を縦横に分割する。図の例では、縦方向に２分割、横方向に３分割している。分割ユニットは、互換性のある２種類のユニットとする。図３Ａに示される第１のユニット（下部ユニット）２は、直方体形状をしており、その上面には奥行き方向に直線状の凹部から成る２つのレール構造１１を備えている。また、その右側面には、前部および後部に高さ方向に延びる、両端が閉じた直線状の位置決め凹部１５を備えている。なお、図３Ａには示されていないが、左側面には、位置決め凹部１５と反対の位置に両端が閉じた直線状の位置決め凸部１６を備えている。図３Ｂに示される第２のユニット（上部ユニット）３も、直方体形状をしており、その下面には、奥行き方向に直線状の凸部から成る２つのレール構造１２を備えている。また、その右側面には、前部および後部に高さ方向に延びる、両端が閉じた直線状の位置決め凸部１６を備えている。なお、図３Ｂには示されていないが、左側面には、位置決め凸部１６と反対の位置に両端が閉じた直線状の位置決め凹部１５を備えている。第１ユニットの直線状の凹部から成るレール構造１１に、第２ユニットの直線状の凸部から成るレール構造１２を差し込むことにより、第２ユニット３が奥行き方向にスライド可能となる。第１のユニットと第２のユニットの高さ寸法は、第１ユニット２の高さが第２ユニット３よりも大きく設定されているが、同じ高さでも、また、第２ユニット３の高さを第１ユニット２の高さよりも大きくしても良い。
【００１７】
図３Ｃに、第１のユニット２と第２のユニット３とを上下に組み合わせた上下連結ユニット構造４を示す。第１のユニット２の上面の、直線状の凹部から成るレール構造１１に、第２のユニット３の下面の、直線状の凸部から成るレール構造１２を嵌め合わせ、レール構造により、第２のユニット３を前後に移動させて、第１のユニットと第２のユニットの位置合わせを行う。上段の第２のユニット３の下部にある凸部から成るレール構造１２を、下段の第１ユニット２の上部にある凹部から成るレール構造１１に差し込むことで、上下のユニット間の連結作業を容易とし、組立て作業効率を上げることができる。また、下段の第１ユニット２に上段の第２ユニット３を差し込む際に、凸部の接触面にグリス等を塗布することで容易に差し込むことが可能となり、挿入時に発生する恐れのある傷や塗装剥離の発生率を低減することも可能となる。
【００１８】
図３Ｄに、第１ユニット２と第２ユニット３を横方向に組み合わせた左右連結ユニット構造５を示す。図では見えないが、第１ユニット２の右側面に設けた位置決め凹部１５に、第２ユニット３の左側面に設けた位置決め凸部１６が嵌まり込み、第１ユニット２と第２ユニット３とが位置決めされる。このように、分割された第１ユニットおよび第２ユニットには左右の側面に凹凸構造を備えているため、ユニット組立て時にはユニット同士を位置決めして、横から嵌め込み固定することができる。ユニット左右の凹凸は凹み加工を行った板金部品を用いればよい。
【００１９】
図３Ｅに、図３Ｃの上下連結構造と図３Ｄの左右連結構造を組み合わせた上下左右連結ユニット構造６の正面図を示す。また、図３Ｆに、上下左右連結ユニット構造６の斜視図を示す。図に示すように、連結ユニット構造では、左側では第１ユニット２を下段とし、第２ユニット３を上段に配置する。そして、右側では第２ユニット３を下段とし、第１ユニット２を上段に配置する。図３Ｃに示す上下連結ユニット４と図３Ｄに示す左右連結ユニット５を組み合わせることにより、前後の揺れまたは衝撃に対して強度を増すことができる。第１ユニットと第２ユニットの高さ寸法を変えることにより、分割箇所の位置がずれて段差状になるため、前後の揺れまたは衝撃にも強度が増し、より安定化することができる。
【００２０】
図４に、図２に示される実施例１の配電盤の筐体１の分解斜視図を示す。また、図５に、図２に示される実施例１の配電盤の筐体１の正面断面図を示す。図５は、ユニットの位置決め凹部１５および位置決め凸部１６の位置における断面図である。
【００２１】
図に示すように、第１ユニット２と第２ユニット３とが、上下に２つ、左右に３つ組み合わされている。そして、左右方向には、第１ユニットおよび第２ユニットの側面に設けた位置決め凹部に位置決め凸部を嵌め合わせることにより、位置決めをすることができる。また、第１ユニットの上面に設けた直線状の凹部から成るレール構造１１に、第２のユニット３の下面に設けた直線状の凸部から成るレール構造１２を差し込むことにより、上段のユニットをスライドさせて取り付けることができる。ドア７は、上下連結ユニット４に１枚ずつ取り付けられている。なお、実施例１では、配電盤の筐体１を、上下２段および左右３つに分割したが、図３Ｅおよび図３Ｆに示されるように、上下２段および左右２つに分割しても良いし、上下を３段以上或いは左右を４つ以上に分割しても良い。
【００２２】
本実施例によれば、配電盤の筐体を上下左右に分割したことにより、配電盤の屋内への搬入、組立て作業を容易に行うことができ作業効率を向上することができる。また、筐体を分割構造にしたことにより、１ユニットあたりの全長、重量が軽減されるため、現地における搬入、組立て作業の工数削減が可能となる。
【００２３】
さらに、第１ユニットと第２ユニットの２種類の互換性を持つ構造にすることで、例えば盤面数を増やす場合は、２種類のユニットを組み合わせるだけで容易に盤面数を増やすことができる。
【００２４】
従来方法では、重機で盤を動かしクレーンで盤を吊らなければ連結作業は行えないが、本構造では第１ユニットおよび第２ユニットを重機を使わず台車で動かすことができ、上下段の連結もリフトで行うことができる。このため、搬入先の屋内に重機やクレーンが不要となり、重機が入れない現場やクレーンがない現場でも容易に搬入、組立て作業が可能となる。
【００２５】
また、第１ユニットおよび第２ユニットの側面に設けた位置決め凹部および位置決め凸部を、第１ユニットおよび第２ユニットの高さ方向の凹部および凸部としたので、第１ユニットおよび第２ユニットを横方向に組み合わせた場合に、前後の位置決めを正確に行うことができる。
【実施例２】
【００２６】
図６Ａに、実施例２の筐体の第１ユニット（下段ユニット）の斜視図を、図６Ｂに実施例２の筐体の第２ユニット（上段ユニット）の斜視図を示す。実施例２は、第１ユニットおよび第２ユニットの側面に設けた、位置決め凹部および位置決め凸部の構成を、実施例１とは変更したものである。
【００２７】
図６Ａに示される第１のユニット（下部ユニット）２２は、直方体形状をしており、その右側面には、上部および下部に奥行き方向に延びる、両端が閉じた直線状の位置決め凹部１７を備えている。なお、図６Ａには示されていないが、左側面には、位置決め凹部１７と反対の位置に、奥行き方向に延びる両端が閉じた直線状の位置決め凸部１８を備えている。図６Ｂに示される第２のユニット（上部ユニット）２３も、直方体形状をしており、その右側面には、上部および下部に奥行き方向に延びる、両端が閉じた直線状の位置決め凸部１８を備えている。なお、図６Ｂには示されていないが、左側面には、位置決め凸部１８と反対の位置に、奥行き方向に延びる両端が閉じた直線状の位置決め凹部１７を備えている。第１ユニットの上面および第２ユニットの下面に設けたレール構造１１，１２は、実施例１と同様である。
【００２８】
図７に、実施例２の配電盤の筐体１の正面断面図を示す。図７は、ユニットの位置決め凹部１７および位置決め凸部１８を含む位置における断面図である。
【００２９】
図に示すように、第１ユニット２２と第２ユニット２３とが、上下に２つ、左右に３つ組み合わされている。そして、左右方向には、第１ユニットおよび第２ユニットの側面に設けた位置決め凹部１７に位置決め凸部１８を嵌め合わせることにより、位置決めをすることができる。また、第１ユニット２２の上面に設けた直線状の凹部から成るレール構造１１に、第２のユニット２３の下面に設けた直線状の凸部から成るレール構造１２を差し込むことにより、上段のユニットをスライドさせて取り付けることができる。なお、実施例２では、配電盤の筐体１を、上下２段および左右３つに分割したが、上下２段および左右２つに分割しても良いし、上下を３段以上或いは左右を４つ以上に分割しても良い。
【００３０】
本実施例によれば、実施例１と同様に、配電盤の筐体を上下左右に分割したことにより、配電盤の屋内の搬入、組立て作業を容易に行うことができ作業効率を向上することができる。また、第１ユニットおよび第２ユニットの側面に設けた位置決め凹部および位置決め凸部を、第１ユニットおよび第２ユニットの奥行き方向の凹部および凸部としたので、第１ユニットおよび第２ユニットを横方向に組み合わせた場合に、上下の位置決めを正確に行うことができる。
【符号の説明】
【００３１】
１…筐体
２…第１ユニット（下段ユニット）
３…第２ユニット（上段ユニット）
４…上下連結ユニット構造
５…左右連結ユニット構造
６…上下左右連結ユニット構造
７…ドア
１１…凹部から成るレール構造
１２…凸部から成るレール構造
１５…位置決め凹部
１６…位置決め凸部
１７…位置決め凹部
１８…位置決め凸部
１００…配電盤
１００ａ…受電盤
１００ｂ…低圧盤
１００ｃ…変圧器盤
【図１】
2019213343.tif 000003
【図２】
2019213343.tif 000004
【図３Ａ】
2019213343.tif 000005
【図３Ｂ】
2019213343.tif 000006
【図３Ｃ】
2019213343.tif 000007
【図３Ｄ】
2019213343.tif 000008
【図３Ｅ】
2019213343.tif 000009
【図３Ｆ】
2019213343.tif 000010
【図４】
2019213343.tif 000011
【図５】
2019213343.tif 000012
【図６Ａ】
2019213343.tif 000013
【図６Ｂ】
2019213343.tif 000014
【図７】
2019213343.tif 000015